(57)【特許請求の範囲】
【請求項１】
製品を各種構成部品に解体するための作業台であって、
前記作業台の上面に取り付けられ、水平状態と、上向きに傾斜させた状態との間を揺動する傾斜プレートと、
該作業台の上面から出没するように設けられたリフト台と、
を備えたことを特徴とする作業台。
【請求項２】
前記作業台の上面には、前記製品を滑動させるための滑動部材が設けられたことを特徴とする請求項１記載の作業台。
【発明の詳細な説明】
【０００１】
【発明の属する技術分野】
本発明は作業台に係り、特に、テレビ等の電化製品を解体するための作業台に関する。
【０００２】
【従来の技術】
廃テレビジョンのリサイクルは、まず、廃テレビジョンを各種構成部品、例えばブラウン管、電子銃、カバー、ケース、スピーカ等に解体する。そして、解体した各種構成部品ごとに、再商品化のための処理を行う。例えば、ケースやカバー等のプラスチックは、破砕した後、溶解されて再商品化される。
【０００３】
ところで、テレビジョンは一般に、背面から組み立てられている。このため、廃テレビジョンの解体作業は、廃テレビジョンを倒し、背面が上を向いた状態で行われる。従来は、作業台に載置した廃テレビジョンを、作業者が手作業で倒していた。
【０００４】
【発明が解決しようとする課題】
しかしながら、大型の廃テレビジョンを、作業者が手作業で倒すと、作業効率が悪いだけでなく、危険であるという問題がある。
【０００５】
また、従来の解体作業は、重量物であるブラウン管を手作業で持ち上げてケースから引き抜くため、作業効率が悪いという欠点があった。
【０００６】
本発明はこのような事情に鑑みて成されたもので、廃テレビジョン等の製品を効率良く、且つ安全に解体できる作業台を提供することを目的とする。
【０００７】
【課題を解決するための手段】
本発明は前記目的を達成するために、製品を各種構成部品に解体するための作業台であって、前記作業台の上面に取り付けられ、水平状態と、上向きに傾斜させた状態との間を揺動する傾斜プレートと、該作業台の上面から出没するように設けられたリフト台と、を備えたことを特徴としている。
【０００８】
本発明によれば、傾斜させた状態の傾斜プレートに製品を押し付けながら、該傾斜プレートを水平にすることによって、製品を容易に倒すことができ、解体作業を効率良く、且つ安全に行うことができる。また、本発明によれば、解体した構成部品の少なくとも一つをリフト台で持ち上げることによって、構成部品を安全、且つ迅速に取り出すことができる。
【０００９】
【発明の実施の形態】
以下添付図面に従って、本発明に係る作業台の好ましい実施の形態について詳説する。
【００１０】
図１は、本発明に係る作業台１０が適用された解体システム１２を示すブロック図である。
【００１１】
同図に示すように、解体システム１２は、回収棚１４を有し、該回収棚１４に廃テレビジョンが格納されている。回収棚１４に格納された廃テレビジョンは、後述するクランプ３２（図２参照）で挟み、秤量器１６に移送される。秤量器１６は、廃テレビジョンの重量を測定する機器であり、ここで測定された重量データは、図示しない制御装置に送信されて記憶される。
【００１２】
秤量器１６で重量測定された廃テレビジョンは、作業者によって作業台１０に移送され、各種構成部品ごとに解体される。例えば、ブラウン管、バックカバー、ケーシング、電子銃、スピーカ、基盤、電線等に解体され、このうち、バックカバーやケーシング等のプラスチック類は、破砕器２０で破砕された後、ピット２２に一時的に収容される。ピット２２に収容されたプラスチック類は、図示しないプラスチック再商品化工程に移送される。一方、ブラウン管や電子銃等の構成部品は、部品ごとに回収カゴ２４に蓄えられた後、各種処理工程２６に移送される。
【００１３】
図２（Ａ）は、図１の回収棚１４から秤量器１６に廃テレビジョン２８を搬送するクランプ３２の側面図である。
【００１４】
クランプ３２は、図示しない天井ホイスト或いはバランサに取り付けられる吊上部３４を有し、該吊上部３４にリンク３６Ａ、３６Ｂの基端部がピン４０によって回動自在に支持されている。リンク３６Ａ、３６Ｂの先端部にはそれぞれ、リンク３８Ａ、３８Ｂの基端部がピン４２Ａ、４２Ｂによって回動自在に連結されるとともに、リンク３８Ａとリンク３８Ｂは、ピン４４によって回動自在に連結されている。また、リンク３８Ａ、３８Ｂの先端部にはそれぞれ、把持部４６Ａ、４６Ｂが取り付けられている。把持部４６Ａ、４６Ｂは、廃テレビジョン２８のケーシングに食い込む爪を有し、該爪が図２の奥行き方向に複数並設されている。
【００１５】
前記ピン４２Ａには、シリンダ４８が取り付けられ、該シリンダ４８のロッド４８Ａがピン４２Ｂに連結される。したがって、このシリンダ４８のロッド４８Ａを縮めると、リンク３８Ａ、３８Ｂが揺動して、把持部４６Ａ、４６Ｂの間隔が狭まる。これにより、把持部４６Ａ、４６Ｂの爪が廃テレビジョン２８のケーシングに食い込むので、廃テレビジョン２８を挟持搬送できる。
【００１６】
また、ピン４２Ａには、ロックレバー５０が揺動自在に連結されている。このロックレバー５０の切欠溝５０Ａをピン４２Ｂに係合すると、爪部４６Ａ、４６Ｂが開いた状態に固定される。したがって、廃テレビジョン２８を挟持しないクランプ３２を安全に移送できる。
【００１７】
図２（Ｂ）に示すクランプ５２は、図１の作業台１０から回収カゴ２４にブラウン管３０を搬送するものであり、図２（Ａ）のクランプ３２と略同様に構成される。このクランプ５２は、リンク３８Ａ、３８Ｂの先端部に、ゴムプレート５４Ａ、５４Ｂが取り付けられ、ブラウン管３０を破損することなく搬送できる。なお、図２（Ｂ）に示したクランプ５２には、ロックレバーが図示されてないが、ロックレバーを取り付けてもよい。
【００１８】
図３は、作業台１０の構造を示す斜視図であり、図４は、作業台１０の側面断面図である。
【００１９】
これらの図に示すように、作業台１０は、秤量器１６に隣接して設置されるとともに、その上面１８が秤量台１６の上面と略同じ高さに形成される。作業台１０の上面１８には、複数本の凸条部５６、５６、…が廃テレビジョン２８の搬送方向（図４の左右方向）に平行に形成されている。この凸条部５６は、廃テレビジョン２８との摩擦抵抗が少ない部材、例えば、四フッ化エチレン等のフッ素樹脂で構成される。一方、秤量器１６の上面には、複数のローラ５８、５８…が回動自在に支持される。これにより、秤量器１６に載置された廃テレビジョン２８を、作業者が手作業で簡単に、作業台１０にスライド移動できる。作業台１０と秤量器１６との間には、ローラ６０が回動自在に支持されており、このローラ６０によって廃テレビジョン２８の脱落が防止される。
【００２０】
作業台１０の中央部には、リフト台６２が設けられている。リフト台６２は、円筒状の筒体６４の上端部にゴム板６６を取り付けて構成され、作業台１０の上面１８から出没するように構成される。前記筒体６４は昇降用シリンダ６８のロッド６８Ａに連結されており、該昇降用シリンダ６８にコンプレッサ７０から空気や油圧油等の流体を供給することによってリフト台６２が昇降する。昇降用シリンダ６８とコンプレッサ７０を連通するエアホース７２には、電磁弁（不図示）が配設されており、該電磁弁に連動する昇降用フットペダル７４を操作することによって昇降用シリンダ６８のロッド６８Ａが伸縮するようになっている。例えば、昇降用フットペダル７４の踏部７４Ａを踏むごとにロッド６８Ａが伸長し、リフト台６２が上昇する。また、昇降用フットペダル７４の踏部７４Ｂを踏み続けることによってロッド６８Ａが短くなり、リフト台６２が下降する。なお、リフト台６２の大きさは、解体対象となる廃テレビジョン２８の大きさによって設定され、ブラウン管３０を安定して持ち上げることができるとともに、廃テレビジョン２８の枠状のケーシングを貫通できる大きさに設定される。また、前記ゴム板６６は、リフト台６２で持ち上げるブラウン管２８の損傷を防止するために取り付けられる。また、図４の符号７６は、リフト台６２のガイドである。
【００２１】
作業台１０の上面１８の奥側縁部には、傾斜プレート７８が揺動自在に取り付けられている。この傾斜プレート７８は、二個の傾斜用シリンダ（一個のみ図示）８０のロッド８０Ａに連結されており、該傾斜用シリンダ８０にコンプレッサ７０から流体を供給することによってロッド８０Ａが伸縮して傾斜プレート７８が揺動する。傾斜用シリンダ８０とコンプレッサ７０とを連通するエアホース８４には、電磁弁（不図示）が配設されており、該電磁弁に連動する傾斜用フットペダル８２を操作することによってロッド８０Ａが伸縮するようになっている。例えば、昇降用フットペダル８２の踏部８２Ａを踏むごとにロッド８０Ａが伸長し、傾斜プレート７８が起立する。また、踏部８２Ｂを踏み続けるとロッド８０Ａが短くなり、傾斜プレート７８が水平に近づく。ここで、起立させた傾斜プレート７８の傾斜角度αは、傾斜プレート７８に押し付けた廃テレビジョン２８が自ら倒れない角度、例えば、水平方向から約５０°の角度に設定される。
【００２２】
傾斜プレート７８の上面には、複数本の凸条部８６、８６…が前記凸条部５６と直交する方向に配設されている。凸条部８６は、凸条部５６と同様、廃テレビジョン２８との摩擦抵抗が少ない部材、例えば、四フッ化エチレン等のフッ素樹脂で構成される。なお、凸条部５６、凸条部８６の形状は、断面が四角形であっても半円状であってもよい。
【００２３】
作業台１０の正面側には、工具台８８が取り付けられている。工具台８８は、鉛直に配設された棒部材９０を軸として回動自在に支持されており、作業者が任意の位置に移動できる。なお、図３の工具台８８は、正面の左側（天秤器側）に取り付けられているが、これに限定するものではなく、右側に取り付けてもよい。
【００２４】
次に上述した作業台１０の作用について、図４のフローチャート及び図５の作用説明図に基づいて説明する。
【００２５】
まず、秤量器１６で重量測定した廃テレビジョン２８を、作業者が作業台１０までスライドさせる（ステップＳ１）。このとき、作業台１０の上面１８に凸条部５６が設けられているので、廃テレビジョン２８を容易にスライドさせることができる。
【００２６】
次に、傾斜用フットペダル８２の踏部８２Ａを踏んで、傾斜プレート７８を起立させる（ステップＳ２）。これにより、傾斜プレート７８は、図５（Ａ）に示すように、傾斜した状態に維持される。
【００２７】
次いで、廃テレビジョン２８を奥側にスライドさせる。そして、図５（Ｂ）に示すように傾斜プレート７８に押し付けながら、傾斜用フットペダル８２の踏部８２Ｂを踏んで、傾斜プレート７８を水平状態に戻す（ステップＳ３）。これにより、廃テレビジョン２８は倒され、背面が上を向いた状態になる。
【００２８】
次に、廃テレビジョン２８を図５（Ｃ）に示すように手前側にスライドさせ、廃テレビジョン２８をリフト台６２の上に位置させる（ステップＳ４）。
【００２９】
次いで、図５（Ｄ）に示すように、廃テレビジョン２８のバックカバー９２を取り外し、廃テレビジョン２８を各種構成部品ごとに分解する（ステップＳ５）。例えば、電子銃、スピーカ、電線、基板等の軽量部品（図示せず）を取り外すとともに、重量物であるブラウン管３０とケーシング９４との固定を解除する。前記取り外した軽量部品は、作業者が手作業で図１の回収カゴ２４に投入する。投入した軽量部品はそれぞれ再商品化処理され、例えば、金属が取り出されて再利用される。
【００３０】
次に、昇降用フットペダル７４の踏部７４Ａを踏んで、リフト台６２を上昇させる（ステップＳ６）。これにより、リフト台６２は、図５（Ｅ）に示すように、作業台１０の上面１８から突出し、枠状のケーシング９４を貫通する。ブラウン管３０はこのリフト台６２によって、ケーシング９４の上方に持ち上げられる。このとき、リフト台６２のゴム板６６がブラウン管３０に当接するので、ブラウン管３０は破損しない。
【００３１】
次に、図５（Ｆ）に示すように、リフト台６２で持ち上げたブラウン管３０を、クランプ５２で挟持搬送し（ステップＳ７）、図１の回収カゴ２４に回収する。これにより、重量物であるブラウン管３０を、作業者が持ち上げることなく、自動的に回収できる。回収したブラウン管３０は、別の作業場にて粉砕され、ガラスが再生される。
【００３２】
次に、昇降用フットペダル７４の踏部７４Ｂを踏むことによって、リフト台６２を下降させる（ステップＳ８）。そして、ケーシング９４やバックカバー９２等のプラスチック類を回収し（ステップＳ９）、フリーローラやコンベア（図示せず）によって図１の破砕機２０に移送する。そして、破砕器２０で破砕したプラスチック類を、ピット２２に収容した後、トラック等で再生工場に運搬し、再商品化処理する。
【００３３】
このように本実施の形態の作業台１０によれば、傾斜させた傾斜プレート７８に廃テレビジョン２８を押し付けながら傾斜プレート７８を水平にして廃テレビジョン２８を倒すので、多大な労力を必要とせず、簡単、且つ迅速に解体作業を行うことができる。
【００３４】
また、作業台１０によれば、作業者が手で廃テレビジョン２８を傾斜プレート７８に押し付けながら、足で昇降用フットペダル７４を操作して、廃テレビジョン２８を倒すので、作業効率が良い。
【００３５】
また、作業台１０は、昇降自在なリフト台６２でブラウン管３０を持ち上げるので、重量物であるブラウン管３０をケーシング９４から簡単に取り出すことができる。したがって、ブラウン管３０を手作業で持ち上げる必要がないので、安全であるとともに、迅速に解体作業を行うことができる。
【００３６】
さらに、作業台１０は、上面１８に凸状部５６を備えているので、廃テレビジョン２８をスムーズにスライド移動させることができる。
【００３７】
なお、上述した実施の形態において、リフト台６２を作業台１０の上面１８よりも低い位置まで下降させると、作業台１０の中央部に開口が形成されるので、該開口からねじ等を回収できる。
【００３８】
また、リフト台６２の上面形状は、上述した実施の形態に限定されるものではなく、長方形や楕円形であってもよい。
【００３９】
また、リフト台６２の個数は、一個に限定されるものではなく、複数個の小さなリフト台（図示せず）を設けてもよい。この場合、廃テレビジョン２８の大きさによって昇降するリフト台６２を選択するとともに、選択したリフト台６２を同調させて駆動するとよい。
【００４０】
また、上述した実施の形態では、廃テレビジョン２８を滑動させるための手段として、凸条部５６を設けたが、これに限定するものではなく、上面１８全体を樹脂等でコーティングしたり、或いは上面１８に樹脂製の半球体を多数取り付けてもよい。
【００４１】
また、上述した実施の形態では、作業者が手作業で廃テレビジョン２８を傾斜プレート７８に押し付けたが、リフト台６２で廃テレビジョン２８の手前側を持ち上げることによって、廃テレビジョン２８を傾斜プレート７８に押し付けてもよい。
【００４２】
さらに、傾斜プレート７８の傾斜角度は上述した実施の形態に限定させるものではなく、例えば鉛直に起立させてもよい。
【００４３】
なお、上述した作業台１０は、廃テレビジョン２８の解体作業に限定されず、製品の解体作業であれば適用できる。
【００４４】
【発明の効果】
以上説明したように本発明に係る作業台によれば、製品を傾斜プレートに押し付けながら該傾斜プレートを水平にすることによって製品を倒すようにしたので、解体作業を効率良く、且つ安全に行うことができる。また、本発明によれば、解体した構成部品をリフト台で持ち上げるので、構成部品を安全、且つ迅速に取り外すことができる。
【図面の簡単な説明】
【図１】本発明に係る作業台が適用された解体システムを示すブロック図
【図２】廃テレビジョンやブラウン管を搬送するクランプを示す側面図
【図３】作業台の構造を示す斜視図
【図４】図３の作業台を示す側面断面図
【図５】本発明に係る作業台を用いた解体作業のフローチャート
【図６】本発明に係る作業台の作用を説明する説明図
【符号の説明】
１０…作業台、１２…解体システム、１６…秤量器、１８…（作業台の）上面、３２、５２…クランプ、５６…凸条部、６２…リフト台、６６…ゴム板、６８…昇降用シリンダ、７４…昇降用フットペダル、７８…傾斜プレート、８０…傾斜用シリンダ、８２…傾斜用フットペダル
【図１】
0004207371.tif 000002
【図２】
0004207371.tif 000003
【図３】
0004207371.tif 000004
【図４】
0004207371.tif 000005
【図５】
0004207371.tif 000006
【図６】
0004207371.tif 000007